(57)【要約】【課題】装置本体の電源起動を行うこと無しに時刻補正を行うことが可能な映像情報【解決手段】時報を用いた時刻補正を二回行い、一回目の時刻補正と二回目の時刻補正との間の時間を、誤差計測時間として記憶する。誤差計測時間の間に、内蔵時計にどれだけ誤差が発生したかを確認し、誤差情報として記憶する。また、最も直近の時刻補正を行った時刻を、最終補正時刻として記憶する。映像情報処理装置の電源が投入された際に、誤差情報、誤差計測時間、最終補正時刻、および現在時刻を用いて、最終補正時刻から現在時刻までの間に内蔵時計に発生したと予想される計数時刻の誤差を算出し、出した予想誤差を用いて内蔵時計の計数時刻を補正する。【選択図】図２
2007132886.tif 000002
【特許請求の範囲】
【請求項１】
現在の時刻を計測する時刻計測手段と、
無線或いは有線により放送される時報を受信する時報受信手段と、
前記時報受信手段によって得られた前記時報を用いて前記時刻計測手段において計測されている時刻を補正する時刻補正手段と、
を備えたハードディスクレコーダにおいて、
前記時刻補正手段により時刻の補正を行ってから一定時間経過後に、再度前記時刻補正手段により時刻の補正を行うとともに、一回目の時刻補正手段の実施から二回目の時刻補正手段の実施までの経過時間を誤差計測時間として記憶する誤差計測時間記憶手段と、
二回目の前記時刻補正手段実施の際に補正した誤差の値を、誤差情報として記憶する誤差情報記憶手段と、
前記時刻補正手段の実施を行った最も直近の時刻を最終補正時刻として記憶する最終補正時刻記憶手段と、
前記誤差情報と、前記誤差計測時間と、前記最終補正時刻と、前記時刻計測手段が計測している現在時刻とを用いて、前記最終補正時刻から前記現在時刻までの間に時刻計測手段において生じたと予想される時刻の誤差を算出する予想誤差算出手段と、
前記ハードディスクレコーダの電源が投入された際に、前記予想誤差算出手段を用いて前記予想誤差を算出し、算出された前記予想誤差を用いて前記時刻計測手段により計測されている時刻を補正する電源投入時補正手段と、
前記最終補正時刻以降に前記誤差計測時間と同一の時間が経過した際に、前記予想誤差算出手段を用いて前記予想誤差を算出し、算出された前記予想誤差を用いて前記時刻計測手段により計測されている時刻を補正する省電力補正手段と、
を備えたことを特徴とするハードディスクレコーダ。
【請求項２】
現在の時刻を計測する時刻計測手段と、
時報を受信する時報受信手段と、
前記時報受信手段によって得られた前記時報を用いて前記時刻計測手段において計測されている時刻を補正する時刻補正手段と、
を備えた映像情報処理装置において、
前記時刻補正手段により時刻の補正を行ってから一定時間経過後に、再度前記時刻補正手段により時刻の補正を行うとともに、一回目の時刻補正手段の実施から二回目の時刻補正手段の実施までの経過時間を誤差計測時間として記憶する誤差計測時間記憶手段と、
二回目の前記時刻補正手段実施の際に補正した誤差の値を、誤差情報として記憶する誤差情報記憶手段と、
前記時刻補正手段の実施を行った最も直近の時刻を最終補正時刻として記憶する最終補正時刻記憶手段と、
前記誤差情報と、前記誤差計測時間と、前記最終補正時刻と、前記時刻計測手段が計測している現在時刻とを用いて、前記最終補正時刻から前記現在時刻までの間に時刻計測手段において生じたと予想される時刻の誤差を算出する予想誤差算出手段と、
前記ハードディスクレコーダの電源が投入された際に、前記予想誤差算出手段を用いて前記予想誤差を算出し、算出された前記予想誤差を用いて前記時刻計測手段により計測されている時刻を補正する電源投入時補正手段と、
を備えたことを特徴とする映像情報処理装置。
【請求項３】
前記最終補正時刻以降に一定時間が経過した際に、前記予想誤差算出手段を用いて前記予想誤差を算出し、算出された前記予想誤差を用いて前記時刻計測手段により計測されている時刻を補正する省電力補正手段
を備えたことを特徴とする請求項２に記載の映像情報処理装置。
【請求項４】
現在の時刻を計測する時刻計測工程と、
無線或いは有線により放送される時報を受信する時報受信工程と、
前記時報受信工程によって得られた前記時報を用いて前記時刻計測工程により計測されている時刻を補正する時刻補正工程と、
を有する時刻補正方法において、
前記時刻補正工程により時刻の補正を行ってから一定時間経過後に、再度前記時刻補正工程により時刻の補正を行うとともに、一回目の時刻補正工程の実施から二回目の時刻補正工程の実施までの経過時間を誤差計測時間として記憶する誤差計測時間記憶工程と、
二回目の前記時刻補正工程実施の際に補正した誤差の値を、誤差情報として記憶する誤差情報記憶工程と、
前記時刻補正工程の実施を行った最も直近の時刻を最終補正時刻として記憶する最終補正時刻記憶工程と、
前記誤差情報と、前記誤差計測時間と、前記最終補正時刻と、前記時刻計測工程が計測している現在時刻とを用いて、前記最終補正時刻から前記現在時刻までの間に時刻計測工程において生じたと予想される時刻の誤差を算出する予想誤差算出工程と、
前記ハードディスクレコーダの電源が投入された際に、前記予想誤差算出工程により前記予想誤差を算出し、算出された前記予想誤差を用いて前記時刻計測工程により計測されている時刻を補正する電源投入時補正工程と、
前記最終補正時刻以降に前記誤差計測時間と同一の時間が経過した際に、前記予想誤差算出工程により前記予想誤差を算出し、算出された前記予想誤差を用いて前記時刻計測工程により計測されている時刻を補正する省電力補正工程と、
を有することを特徴とする時刻補正方法。
【請求項５】
現在の時刻を計測する時刻計測工程と、
時報を受信する時報受信工程と、
前記時報受信工程によって得られた前記時報を用いて前記時刻計測工程において計測されている時刻を補正する時刻補正工程と、
を有する時刻補正方法において、
前記時刻補正工程により時刻の補正を行ってから一定時間経過後に、再度前記時刻補正工程により時刻の補正を行うとともに、一回目の時刻補正工程の実施から二回目の時刻補正工程の実施までの経過時間を誤差計測時間として記憶する誤差計測時間記憶工程と、
二回目の前記時刻補正工程実施の際に補正した誤差の値を、誤差情報として記憶する誤差情報記憶工程と、
前記時刻補正工程の実施を行った最も直近の時刻を最終補正時刻として記憶する最終補正時刻記憶工程と、
前記誤差情報と、前記誤差計測時間と、前記最終補正時刻と、前記時刻計測工程が計測している現在時刻とを用いて、前記最終補正時刻から前記現在時刻までの間に時刻計測工程において生じたと予想される時刻の誤差を算出する予想誤差算出工程と、
前記ハードディスクレコーダの電源が投入された際に、前記予想誤差算出工程により前記予想誤差を算出し、算出された前記予想誤差を用いて前記時刻計測工程により計測されている時刻を補正する電源投入時補正工程と、
を有することを特徴とする時刻補正方法。
【請求項６】
前記最終補正時刻以降に一定時間が経過した際に、前記予想誤差算出工程により前記予想誤差を算出し、算出された前記予想誤差を用いて前記時刻計測工程により計測されている時刻を補正する省電力補正工程
を備えたことを特徴とする請求項５に記載の時刻補正方法。
【発明の詳細な説明】
【技術分野】
【０００１】
本発明は、映像情報処理装置に関するものであり、特に映像情報処理装置に内蔵された時計の時刻補正方法に関する。
【背景技術】
【０００２】
近年、テレビ等の映像装置において処理される映像および音声の記録および再生を行うための装置として、ビデオテープレコーダやＤＶＤ（Digital Versatile Disk）レコーダ、或いはＨＤＤ（Hard Disk Drive）レコーダ等の映像情報処理装置が広く普及している。これらの映像情報処理装置には、時報を受信することにより内蔵時計の時刻を自動的に補正するジャストクロック（時刻補正）機能を備えているものがある。
【０００３】
ジャストクロック機能とは、外部からの無線情報或いは有線情報を受信して時刻修正を行う機能であり、通常は毎日定められた時間に自動的に実行される。ジャストクロック機能の一つとして、毎日正午などに放送される時報を受信することにより内蔵時計の時刻を自動的に修正する方法が広く知られている。このような時報を用いたジャストクロック機能においては、時報受信によって得られた外部時刻データと、時計内部で計数した内部時刻データとを比較し、その時刻差によって内部時刻データを修正する。ジャストクロック機能を用いれば、定期的な時報受信によって時刻を補正できるため、通常の電子時計等に比べてより精度の高い時刻の計数を行うことが可能である。
【０００４】
しかしながら時報を用いた従来のジャストクロック機能は、時刻補正を行うために装置の起動（電源のＯＮ）を行う必要があった。このため、時計の誤差の程度に関わらず一定の電力を毎日消費するため、例えば内蔵時計の誤差が少ない場合でも頻繁に時刻補正を行い、結果として不要な電力を消費するという問題が発生する可能性があった。また、なんらかの要因（例えば電波障害等）により時報を受信できない場合、その間は時刻補正を行うことができないという問題もあった。
【０００５】
上記の問題に関連して特許文献１においては、外部からの受信電波情報により外部時刻データを受信して修正する電波修正時計が開示されている。特許文献１の電波修正時計は、外部無線情報受信部で外部無線情報を受信すると、受信した時刻情報と、電子機器内部で作られる基準クロックに基づいて計時された内部時刻データとを比較して差異量を出力し、この差異量および受信時期の各データが受信情報記憶部に記憶される。さらに、過去の受信データに基づいて、つまり過去複数回の受信時期および差異量によって傾向緩急量を算出し、その値で分周部の分周比（分周値）を修正する論理緩急制御部を備えている。
【０００６】
特許文献１の発明によれば、分周部によって生成される基準信号自体の誤差を非常に小さくすることができ、外部無線情報に基づく時刻情報を取得するまでの間、前記基準信号で時刻を計時している場合の時間精度を大幅に向上することができる。その上、複数回のデータに基づいて傾向緩急量を算出しているので、１回のみのデータに基づいて算出する場合に比べ、一時的な温度変化の影響を受けたり、ノイズが乗った誤ったデータを受信したために、外部時刻データおよび内部時刻データの正しい差異量を検出できなかった場合でも、その１回の差異量で傾向緩急量を算出するのではなく、複数回のデータで算出している。このため、１回の受信データのみで算出する場合に比べてより精度の高い緩急処理が行える。
【０００７】
また、上記の問題に関連して特許文献２においては、通常時には補正情報により時刻修正を行い、その時刻修正による誤差に応じたタイミングで標準時刻電波信号を受信して時刻修正を行う電波修正時計が開示されている。特許文献２の電波修正時計は、クロック信号生成手段を用いてクロック信号を生成する。内蔵時計では、クロック信号生成手段が生成したクロック信号に基づいて時刻情報を計時する。また標準電波受信手段を用いて標準時刻電波信号を受信する。標準電波受信手段が受信する標準時刻電波信号と、標準時刻電波信号を受信した時の内蔵時計が計時する時刻情報とに基づいた補正情報を作成し、内蔵時計が計数する時刻情報を修正する。また、標準電波受信手段が受信した標準時刻電波信号と、補正情報に基づいて修正された内蔵時計が計時する時刻情報との誤差情報をもとに標準電波の受信タイミングを決定する。
【０００８】
特許文献２の発明によれば、時刻修正に係る消費電流を低減することができ、また標準時刻電波信号ではなく補正値を用いて時刻修正を行う場合であっても、標準時刻との誤差を低減することが可能である。
【０００９】
しかしながら、上記の特許文献１および特許文献２に開示されている時刻補正方法では、時刻補正の処理自体に費やされる消費電力を削減することは可能であるが、従来技術と同様、時刻補正処理時には装置自体の電源をＯＮにする必要があるため、削減できる消費電力に限界があるという問題があった。
【特許文献１】特開２００４−３０１７５３号公報
【特許文献２】特開２００５−９１２２７号公報
【発明の開示】
【発明が解決しようとする課題】
【００１０】
本発明は、上記の問題を解決するためになされたものであって、その目的は、時刻補正の際に消費される電力を最大限に低減するために、装置本体の電源起動を行うこと無しに時刻補正を行うことが可能であり、かつ時報の受信が不可能である場合においても精度の高い時刻補正を一定間隔で行うことが可能である時刻補正機能を備えた映像情報処理装置を提供することにある。
【課題を解決するための手段】
【００１１】
上記目的を達成するために本発明の映像情報処理装置は、
現在の時刻を計測する時刻計測手段と、
時報を受信する時報受信手段と、
前記時報受信手段によって得られた前記時報を用いて前記時刻計測手段において計測されている時刻を補正する時刻補正手段と、
を備えた映像情報処理装置において、
前記時刻補正手段により時刻の補正を行ってから一定時間経過後に、再度前記時刻補正手段により時刻の補正を行うとともに、一回目の時刻補正手段の実施から二回目の時刻補正手段の実施までの経過時間を誤差計測時間として記憶する誤差計測時間記憶手段と、
二回目の前記時刻補正手段実施の際に補正した誤差の値を、誤差情報として記憶する誤差情報記憶手段と、
前記時刻補正手段の実施を行った最も直近の時刻を最終補正時刻として記憶する最終補正時刻記憶手段と、
前記誤差情報と、前記誤差計測時間と、前記最終補正時刻と、前記時刻計測手段が計測している現在時刻とを用いて、前記最終補正時刻から前記現在時刻までの間に時刻計測手段において生じたと予想される時刻の誤差を算出する予想誤差算出手段と、
前記ハードディスクレコーダの電源が投入された際に、前記予想誤差算出手段を用いて前記予想誤差を算出し、算出された前記予想誤差を用いて前記時刻計測手段により計測されている時刻を補正する電源投入時補正手段と、
を備えたことを特徴としている。
【００１２】
この構成によると、
時報を受信することによって内蔵時計が計測している時刻を補正すると共に、補正を行ってから一定時間経過後に、再度時報を受信することにより、内蔵時計の時刻補正を行う。この一回目の時刻補正と二回目の時刻補正との間の時間を、誤差計測時間として記憶する。そして誤差計測時間の間に、内蔵時計にどれだけ誤差が発生したかを確認するため、二回目の時刻補正の際に補正した誤差の値を誤差情報として記憶する。併せて、最も直近の時刻補正（この場合は二回目の時刻補正）を行った時刻を、最終補正時刻として記憶する。
【００１３】
またこの構成によると、
前記映像情報処理装置の電源が投入された際に、誤差情報、誤差計測時間、最終補正時刻、および現在時刻を用いて、最終補正時刻から現在時刻までの間に内蔵時計に発生したと予想される計数時刻（内蔵時計が保持する時刻）の誤差を算出する。なお、具体的な算出方法については後述する。算出した予想誤差を用いて内蔵時計の計数時刻を補正するとともに、最終補正時刻を更新する。
【００１４】
また、上記目的を達成するために本発明の映像情報処理装置は、
前記最終補正時刻以降に一定時間が経過した際に、前記予想誤差算出手段を用いて前記予想誤差を算出し、算出された前記予想誤差を用いて前記時刻計測手段により計測されている時刻を補正する省電力補正手段
を備えたことを特徴としている。
【００１５】
この構成によると、
時報を用いて時刻補正を行った後、或いは予想誤差を用いて前記電源投入時補正を行った後、一定時間（例えば誤差計測時間と同一時間）が経過した際に、誤差情報、誤差計測時間、最終補正時刻、および現在時刻を用いて、最終補正時刻から現在時刻までの間に内蔵時計に発生したと予想される計数時刻の誤差を算出する。算出した予想誤差を用いて内蔵時計の時刻を補正するとともに、最終補正時刻を更新する。
【発明の効果】
【００１６】
本発明の第一の構成によれば、
所定の時間（例えば正午等）に時報を用いて内蔵時計の時刻補正を行い、さらに誤差計測時間経過後に再び時報を用いて時刻補正を行う。この二回の時刻補正の間に生じた内蔵時計の誤差を、誤差情報として記憶する。このように誤差計測時間における誤差情報を算出することにより、それ以後は特定の時間内にどれだけ内蔵時計の時刻情報に誤差が生じるかを、計算により予想することが可能となる。このため、映像情報処理装置の電源が投入されている時間ならいつでも内蔵時計の誤差を修正することが可能となる。このため、従来のように、定められた時間（時報を受信する時間）に時刻補正を行う必要がなくなり、結果として、時刻補正のためだけに映像情報処理装置の電源を投入する必要がなくなる。これにより、時刻補正にかかる電力の削減を図ることが可能となる。また、電波状況の悪化等により時報を受信できない状況が発生したとしても、誤差情報を使用して時刻補正を行うことが可能であるため、確実に時刻補正を行うことが可能となる。
【００１７】
また本発明の第二の構成によれば、時刻補正実施の後、一定時間（例えば２４時間）を経過しても映像情報処理装置の電源が投入されない場合、自動的に上記誤差情報を用いた時刻補正を行う。これにより、長期間に渡り電源が投入されない場合においても、一定間隔で時刻補正を行うため、常に高い精度で時刻補正を行うことが可能である。
【発明を実施するための最良の形態】
【００１８】
本発明の実施の一形態について、図面に基づいて説明すれば、以下の通りである。
【００１９】
［実施の形態］
〈１．ＨＤＤレコーダの内部構成について〉
ここで、本発明の第一の実施形態におけるＨＤＤレコーダ（映像情報処理装置）１の電気回路システムの要部構成を、図３のブロック図を用いながら説明する。
【００２０】
図３のブロック図に示すように、本発明のＨＤＤレコーダ１は、少なくとも、制御部１１、メモリ１２、ＨＤＤ１３、入力用外部接続端子１４、エンコーダ部１５、デコーダ部１６、出力用外部接続端子１７、放送データ受信部１８、時計回路１９、操作ボタン群２１、およびフロントパネル２２を含むように構成されている。
【００２１】
制御部１１は、ＨＤＤレコーダ１の各部材の駆動を有機的に制御することにより映像情報処理（コンテンツの録画、或いは再生等）を統括制御するための中央処理装置である。また制御部１１は、各装置（例えばＨＤＤ１３等）の制御やデータの計算、加工処理等を行なう中枢部分となっている。
【００２２】
メモリ１２は、ＨＤＤレコーダ１が保持する各種データを一時的に記憶する媒体であり、例えば書込可能なＲＡＭ（Random Access Memory）等により構成されている。メモリ１２は、例えば制御部１１によって各種情報処理が行われる際の処理データや、ユーザーから受けた指示命令等を一時的に記憶しておくためのバッファメモリとしての役割を持つ。
【００２３】
ＨＤＤ１３は、ＨＤＤレコーダ１が保持する各種データ（映像データ、および管理データ等）を記録するための磁気記憶媒体である。なお、ＨＤＤ１３は、複数の領域（パーティション）に物理的に分割されており、記憶するデータの種別（映像データ、管理データ等）に応じて領域別に記憶することがより望ましい。
【００２４】
入力用外部接続端子１４は、例えばデジタルチューナーなどの外部装置からデジタルデータ（映像情報）を入力するための入力インタフェースである。また、例えばアナログデータを入力する場合は、Ａ／Ｄコンバータ（Analog Digital Converter）を用いてアナログの映像データおよび音声データをデジタルデータに変換して入力することが可能である。
【００２５】
エンコーダ部１５は、映像データをＭＰＥＧ２等の動画圧縮方式により圧縮（エンコード）を行ったり、音声データをＤｏｌｂｙ  ＡＣ−３やＬＰＣＭ等の音声圧縮方式により圧縮を行うための処理回路である。なお、圧縮を行うデータとしては、例えば入力用外部接続端子１４より入力された映像データおよび音声データ等が対象となる。
【００２６】
デコーダ部１６は、前記エンコーダ部１５等により圧縮された映像データおよび音声データを伸長（デコード）するための処理回路である。伸張が行われたデータは、例えば後述する出力用外部接続端子１７等を用いて外部機器に対して出力される。
【００２７】
出力用外部接続端子１７は、例えばモニターなどの外部装置に対して映像データおよび音声データを出力するための出力インタフェースである。なお、例えば出力先の機器がアナログインタフェースしか備えていない場合は、Ｄ／Ａコンバータ（Digital Analog Converter）を用いてデジタルの映像データおよび音声データをアナログデータに変換して出力することが可能である。
【００２８】
放送データ受信部１８は、アンテナ（不図示）等の受信装置を用いて受信されたアナログ或いはデジタルの放送データをＨＤＤレコーダ１へ入力するための入力インタフェースである。放送データ受信部１８より入力された放送データは通常、ＨＤＤ３に記憶される。なお、特定の放送データ（時報等）を制御部１１が直接監視し、それをもとに後述する時計回路１９の時刻情報を調整することが可能である。
【００２９】
時計回路１９は現在の時刻を逐次カウントしていく回路である。なお、この時計回路１９は、ＨＤＤレコーダ１の電源がＯＦＦである期間であっても、内蔵電池（不図示）から電源供給を受けて動作することも可能である。
【００３０】
操作ボタン群２１は、ユーザーが番組の録画および録画予約等の各種指示をＨＤＤレコーダ１に対して行なうための入力インターフェースである。フロントパネル２２は、ＨＤＤレコーダ１の各種情報をユーザーに対して表示するためのユーザーインタフェースである。
【００３１】
〈２．時刻補正工程について〉
ここで、本発明のＨＤＤレコーダ１における時刻補正処理の処理工程を、図１および図２のフロー図と、図３のブロック図とを用いながら説明する。
【００３２】
図１に示すように、制御部１１がユーザーより省電力ジャストクロック機能の実施命令を検知することにより、本処理が開始される（Ｓ１１０）。なお、省電力ジャストクロック機能の実施命令は、例えばユーザーが操作ボタン群２１を用いて省電力ジャストクロックモードへの移行操作を行なった場合等に発行される。
【００３３】
ユーザーより省電力ジャストクロック機能の実施命令を受けた制御部１１は、放送データ受信部１８により時報が受信されるのを監視する。所定の時間（例えば正午等）に時報の受信が行われると、制御部１１は前記時報を用いて時計回路１９の時刻補正を行う（Ｓ１２０）。時刻補正を行った後制御部１１は再び放送データ受信部１８により時報が受信されるのを監視するため、待機状態に移行する（Ｓ１３０）。
【００３４】
Ｓ１２０の処理実施後、次に時報を受けた（例えば２４時間が経過した）際に、制御部１１は、時報を用いて時計回路１９の時刻補正を行う（Ｓ１４０）。この際、制御部１１は前記Ｓ１２０の実施後、前記１４０が行われるまでの経過時間を取得し、その経過時間の間に発生した計数時刻の誤差を取得する。取得された誤差は、経過時間情報と共に誤差情報として、メモリ１２或いはＨＤＤ１３に記憶される（Ｓ１５０）。
【００３５】
例えば、毎日午前０時の時報によって一日一回、時刻補正処理が行われていたとする。この場合、Ｓ１２０が行われた時刻が午後０時であり、Ｓ１４０が行われた時刻が翌日（２４時間後）の午後０時となる。つまり、経過時間は２４時間となる。そしてＳ１４０の時刻補正処理において、時報の時刻と時計回路１９の時刻とが三秒ズレていたとする。この場合、Ｓ１２０において時刻補正を行ったにもかかわらず、２４時間後のＳ１４０の時点で三秒遅れていたため、時計回路１９は２４時間毎に三秒の遅れ（誤差）を生じるという結果が得られる。この結果が誤差情報として、メモリ１２或いはＨＤＤ１３に記憶される。
【００３６】
前記Ｓ１４０において時刻補正及び誤差情報の記憶を行った制御部１１は、Ｓ１４０を行った日時を時刻Ａとしてメモリ１２或いはＨＤＤ１３に記憶する（Ｓ１６０）。その後制御部１１は待機状態に移行する。
【００３７】
待機状態の制御部１１がユーザーよりＨＤＤレコーダ１の電源をＯＮにする指示を検知した場合、次のＳ２１０の処理に移行する。一定時間（例えば一時間）待機状態が継続してもユーザーよりＨＤＤレコーダ１の電源をＯＮする指示を検知しなかった場合、制御部１１は後述するＳ３１０の処理に移行する（Ｓ１７０）。
【００３８】
前記Ｓ１７０において、ユーザーよりＨＤＤレコーダ１の電源をＯＮにする指示を検知した制御部１１は、電源をＯＮにした時刻を時刻Ｂとしてメモリ１２或いはＨＤＤ１３に記憶する（Ｓ２１０）。制御部１１は、Ｓ１６０で得られた時刻ＡとＳ２１０で得られた時刻Ｂとの差分をとることにより、前回時刻補正が行われた時刻から現在の時刻までの経過時間を算出する。そして算出された経過時間をもとに、予想誤差（時刻Ａから時刻Ｂの間に時計回路１９に生じた計数時刻の誤差）を、Ｓ１５０で記憶された誤差情報をもとに計算する（Ｓ２２０）。
【００３９】
例えば、図４に示す例では、誤差情報が３秒、誤差計測時間（Ｓ１２０の時刻補正をしてからＳ１４０の時刻方正をするまでの経過時間）が２４時間であり、時刻Ａが２００５年２月２日の０時、時刻Ｂが２００５年２月２日の１５時であったとする。この場合、時刻Ｂ−時刻Ａより、経過時間は１５時間と算出される。予想誤差は「誤差情報×経過時間／誤差計測時間」により算出されるため、各値を前記数式に当てはめると、「３ｓ×１５ｈ／２４ｈ＝１．８７５ｓ」となり、１５時間の間に発生した予想誤差は１．８７５秒となる。
【００４０】
また例えば、図５に示す例では、誤差情報が０．５秒、誤差計測時間が１２時間であり、時刻Ａが２００５年２月２日の０時、時刻Ｂが２００５年２月３日の２時であったとする。この場合、時刻Ｂ−時刻Ａより、経過時間は２６時間と算出される。予想誤差は「誤差情報×経過時間／誤差計測時間」により算出されるため、各値を前記数式に当てはめると、「０．５ｓ×２６ｈ／１２ｈ＝１．０８３ｓ」となり、予想誤差は１．０８３秒となる。
【００４１】
制御部１１は算出された予想誤差をもとに、時計回路１９の計数時刻を補正する。例えば図４に示すように予想誤差が１．８７５秒である（１．８７５秒時間が進んでいる）場合、時計回路１９の時間を１．８７５秒遅らせることにより、補正を行う（Ｓ２３０）。制御部は、補正を行った後の現在時刻を時刻Ａとして記憶する。この際、これまで古い時刻Ａのデータは、上書きされることによって消去される（Ｓ２４０）。その後、制御部１１は待機状態に移行する。
【００４２】
待機状態の制御部１１がユーザーよりＨＤＤレコーダ１の電源をＯＦＦにする指示を検知した場合、前記のＳ１７０に移行する。電源のＯＦＦを検知しない場合、引き続き待機状態を継続し、ユーザーからの支持を待ち受ける（Ｓ２５０）。
【００４３】
前記Ｓ１７０において、一定時間（例えば２時間）待機状態が継続してもユーザーよりＨＤＤレコーダ１の電源をＯＮする指示を検知しなかった場合、制御部１１は時刻Ａと現在時刻を比較し、時刻Ａ以降、誤差計測時間（例えば２４時間）以上の時間が経過しているかどうかの確認を行う（Ｓ３１０）。経過している場合、次のＳ３２０に移行する。経過していない場合、前記Ｓ１７０に移行し、待機状態を継続する。
【００４４】
前記Ｓ３１０において誤差計測時間以上の時間が経過していると判断された場合、制御部１１は予想誤差を算出した後、予想誤差を用いて時計回路１９の時刻補正を行う（Ｓ３２０）。なお、予想誤差の算出及び時刻補正の詳細については、前記２１０からＳ２３０の処理と同内容であるため、ここでは説明を省略する。時刻補正を行った後、前記Ｓ１６０に移行し、以降同様の処理を継続する。なお、本発明の時刻補正処理はユーザーより処理中断の命令を受けるまで継続して行われる。ユーザーよりの処理中断命令は、例えばユーザーが操作ボタン群２１を用いて省電力ジャストクロックモードの解除操作を行なった場合等に発行される。
【００４５】
〈３．本発明の種々ある特徴について〉
本実施形態によると、
ユーザーより省電力ジャストクロック機能の実施命令を受けることにより、省電力ジャストクロックモードに移行する。このモードでは、まず所定の時間（例えば正午等）に時報を用いて時計回路１９の時刻補正を行い、さらに誤差計測時間経過後に再び時報を受信して時刻補正を行う。この二回の時刻補正の間に生じた時計回路１９の誤差を、誤差情報として記憶する。
【００４６】
このように誤差計測時間における誤差情報を算出することにより、それ以後は特定の時間内にどれだけ時計回路１９の時刻情報に誤差が生じるかを、計算により予想することが可能となる。このため、時計回路１９の誤差を修正するために随時時報を受信する必要がない。これにより時刻補正を目的とした時報受信のためだけにＨＤＤレコーダ１の電源をＯＮにする必要が無く、時刻補正にかかる電力の削減を図ることが可能となる。また、電波状況の悪化等により時報を受信できない状況が発生したとしても、誤差情報を使用して時刻補正を行うことが可能であるため、確実に時刻補正を行うことが可能となる。
【００４７】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００４８】
例えば前述した実施形態の機能を実現するソフトウェアのプログラムコードを記録した記憶媒体を、ＨＤＤレコーダ１に供給し、そのＨＤＤレコーダ１内のコンピュータ（例えばＣＰＵ）が記憶媒体に格納されたプログラムコードを読出し実行することによっても、達成されることは言うまでもない。
【００４９】
この場合、記憶媒体から読出されたプログラムコード自体が、前述した実施形態の機能を実現することになり、そのプログラムコードを記憶した記憶媒体は本発明を構成することになる。
【００５０】
なお、プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５３】
また、本発明の映像情報処理方法が、ＨＤＤレコーダ以外の映像処理装置において用いられたとしても、同様の効果がえられることは言うまでもない。なお、映像情報処理装置としては、例えばテレビ、ＤＶＤレコーダ、ビデオテープレコーダ（ＶＴＲ）、ＤＶレコーダ、パソコン、デジタルビデオカメラ、などが挙げられる。
【図面の簡単な説明】
【００５４】
【図１】本発明のＨＤＤレコーダによる時刻補正処理の処理フロー図である。
【図２】本発明のＨＤＤレコーダによる時刻補正処理の処理フロー図である。
【図３】本発明のＨＤＤレコーダ内部の要部構成を示したブロック図である。
【図４】本発明のＨＤＤレコーダによる時刻補正処理内容の一例を示したブロック図である。
【図５】本発明のＨＤＤレコーダによる時刻補正処理内容の一例を示したブロック図である。
【符号の説明】
【００５５】
１      ＨＤＤレコーダ（映像情報処理装置）
１１    制御部
１２    メモリ
１３    ハードディスク（記憶部）
１４    入力用外部接続端子
１５    エンコーダ部
１６    デコーダ部
１７    出力用外部接続端子
１８    放送データ受信部
１９    時計回路
【図１】
2007132886.tif 000003
【図２】
2007132886.tif 000004
【図３】
2007132886.tif 000005
【図４】
2007132886.tif 000006
【図５】
2007132886.tif 000007